(57)【要約】      （修正有）【課題】断熱性をより高くすることが可能な貯蔵庫を提供する。【解決手段】前方に開口された方形状の開口部１１Ａを有する貯蔵室を構成する箱体と、開口部１１Ａを覆う形で箱体に対して回動可能に取り付けられる扉と、開口部１１Ａの内面のうち、第１内面１９Ａ及び第２内面１９Ｂによって構成される角部を覆うコーナーカバー３２と、を備え、扉は、方形板状をなす扉本体部と、扉本体部の後面に設けられ、箱体における開口部１１Ａの開口縁部の前面に当接するドアパッキンと、を備え、扉本体部の後面には、第１対向面６４Ａ及び第２対向面６５Ａを有するリブ６３が設けられ、リブ６３において、コーナーカバー３２に対応する箇所には、コーナーカバー３２が嵌合する切欠部６６が形成されていることに特徴を有する。【選択図】図６
2018204930.tif 000002
【特許請求の範囲】
【請求項１】
前方に開口された方形状の開口部を有する貯蔵室を構成する箱体と、
前記開口部を覆う形で前記箱体に対して回動可能に取り付けられる扉と、
前記開口部の内面のうち、互いに交差する第１内面及び第２内面によって構成される角部を覆うコーナーカバーと、を備え、
前記扉は、
方形状をなす扉本体部と、
前記扉本体部の後面に設けられ、前記箱体における前記開口部の開口縁部の前面に当接するドアパッキンと、を備え、
前記扉本体部の後面には、
前記第１内面と対向配置される第１対向面と、前記第２内面と対向配置される第２対向面と、を有するリブが前記ドアパッキンの延設方向に沿う形で設けられ、
前記リブにおいて、前記コーナーカバーに対応する箇所には、前記コーナーカバーが嵌合する切欠部が形成されている貯蔵庫。
【請求項２】
前記扉は、上下方向に沿う軸を回動軸として、前記箱体に対して回動可能に取り付けられており、
前記リブは、
上下方向に沿って延びる一対の縦方向延設部と、
水平方向に沿って延びる一対の横方向延設部と、を備える方形枠状をなし、
前記縦方向延設部及び前記横方向延設部は、それぞれ前記貯蔵室に向かうにつれて幅が狭くなる形状をなしており、
前記第１内面は、前記縦方向延設部の延設方向に沿って延び、
前記第２内面は、前記横方向延設部の延設方向に沿って延び、
前記縦方向延設部は、前記第１対向面を有しており、
前記横方向延設部は、前記第２対向面を有しており、
前記第２対向面の前記第２内面に対する傾斜角度は、
前記第１対向面の前記第１内面に対する傾斜角度よりも小さい値で設定されている請求項１に記載の貯蔵庫。
【請求項３】
前記扉本体部は、
ドアパネルと、
前記扉本体部における後面を構成するドアパックと、
前記ドアパネル及び前記ドアパックによって囲まれた空間に充填された断熱材と、を備え、
前記ドアパネルは、
前記扉本体部における前面を構成するパネル本体部と、
前記パネル本体部に対して後側に折り返されたパネル周端部と、を備え、
前記ドアパックの周端部は、前記パネル周端部に対して後側から当接されており、
前記ドアパッキンは、
中空状をなすと共に、前記ドアパックの前記周端部に対して後側から当接する当接部を備え、
前記当接部には、前記当接部の内部空間を仕切る仕切壁部が設けられている請求項１又は請求項２に記載の貯蔵庫。
【請求項４】
前記ドアパッキンは、
中空状をなすパッキン本体部と、
前記パッキン本体部から前側に突出され、前記扉本体部の後面に形成された溝部に嵌合される突部と、
前記開口部の前記開口縁部の前面に吸着する磁石が収容され、前記パッキン本体部に対して後側に配される磁石収容部と、
前記パッキン本体部と前記磁石収容部とを連結する一対の連結部と、を備え、
前記一対の連結部のうち一方の連結部は、前記パッキン本体部及び前記磁石収容部における前記ドアパッキンの幅方向の一端部同士を連結し、
前記一対の連結部のうち他方の連結部は、前記パッキン本体部及び前記磁石収容部における前記ドアパッキンの幅方向の他端部同士を連結し、
前記連結部は、前記磁石収容部における前端部と、前記パッキン本体部における前端部と、を連結するものとされ、前記磁石収容部における前端部から後方に延びた後、前記パッキン本体部側に折り返す形で延びている請求項１から請求項３のいずれか一項に記載の貯蔵庫。
【請求項５】
前記扉本体部の後面には、前記扉のサイズを識別することが可能な識別部が設けられている請求項１から請求項４のいずれか一項に記載の貯蔵庫。
【請求項６】
前記識別部は、前記扉本体部の中心に対して点対称となる形で一対設けられている請求項５に記載の貯蔵庫。
【発明の詳細な説明】
【技術分野】
【０００１】
本発明は、貯蔵庫に関する。
【背景技術】
【０００２】
従来、貯蔵庫として、コーナーカバーを備えるものが知られている（下記特許文献１）。特許文献１では、貯蔵庫の前面開口が複数の開口に仕切られており、各開口の開口縁部が交差する枠部材（化粧枠）によって構成されている。コーナーカバーは、交差する２つの枠部材の接続部を覆う構成となっている。
【先行技術文献】
【特許文献】
【０００３】
【特許文献１】特開平０８−１５２２５５号公報
【発明の概要】
【発明が解決しようとする課題】
【０００４】
また、貯蔵庫の開口を覆う扉については、扉裏面の外周端部に沿ってリブを設け、このリブを開口の内面と対向配置させることで、扉と開口の隙間をより少なくする構成が知られている。上記のようなコーナーカバーを備える構成では、開口の内面を覆う形でコーナーカバーが配される。このため、リブをコーナーカバーの表面に対して扉の内側に寄せることで、コーナーカバーと干渉する事態を避ける必要があった。しかしながら、リブを扉の内側に寄せることで、リブと開口の内面との間の隙間が大きくなり、貯蔵庫の断熱性が低下する事態が懸念される。
【０００５】
本発明は上記のような事情に基づいて完成されたものであって、断熱性をより高くすることが可能な貯蔵庫を提供することを目的とする。
【課題を解決するための手段】
【０００６】
上記課題を解決するために、本発明の貯蔵庫は、前方に開口された方形状の開口部を有する貯蔵室を構成する箱体と、前記開口部を覆う形で前記箱体に対して回動可能に取り付けられる扉と、前記開口部の内面のうち、互いに交差する第１内面及び第２内面によって構成される角部を覆うコーナーカバーと、を備え、前記扉は、方形状をなす扉本体部と、前記扉本体部の後面に設けられ、前記箱体における前記開口部の開口縁部の前面に当接するドアパッキンと、を備え、前記扉本体部の後面には、前記第１内面と対向配置される第１対向面と、前記第２内面と対向配置される第２対向面と、を有するリブが前記ドアパッキンの延設方向に沿う形で設けられ、前記リブにおいて、前記コーナーカバーに対応する箇所には、前記コーナーカバーが嵌合する切欠部が形成されていることに特徴を有する。
【０００７】
切欠部を備えることで、コーナーカバーとリブが干渉する事態を防止することができる。この結果、リブを開口部の内面により近づけて配置することができ、リブと開口部の内面との間の隙間をより小さくすることができるから、貯蔵室の断熱性をより高くすることができる。
【０００８】
また、前記扉は、上下方向に沿う軸を回動軸として、前記箱体に対して回動可能に取り付けられており、前記リブは、上下方向に沿って延びる一対の縦方向延設部と、水平方向に沿って延びる一対の横方向延設部と、を備える方形枠状をなし、前記縦方向延設部及び前記横方向延設部は、それぞれ前記貯蔵室に向かうにつれて幅が狭くなる形状をなしており、前記第１内面は、前記縦方向延設部の延設方向に沿って延び、前記第２内面は、前記横方向延設部の延設方向に沿って延び、前記縦方向延設部は、前記第１対向面を有しており、前記横方向延設部は、前記第２対向面を有しており、前記第２対向面の前記第２内面に対する傾斜角度は、前記第１対向面の前記第１内面に対する傾斜角度よりも小さい値で設定されているものとすることができる。
【０００９】
第２対向面と第２内面との間の隙間をより小さくすることができ、貯蔵室の断熱性をより高くすることができる。また、扉の回動軸は上下方向に沿う構成であるから、扉を閉める際には、上下方向に延びる第１内面に対して、縦方向延設部の第１対向面が接近することになる。ここで、第１対向面の第１内面に対する傾斜角度は、比較的大きい値で設定されている。このため、扉を閉める際に、第１内面に対して、第１対向面が当接する事態をより確実に抑制することができる。
【００１０】
また、前記扉本体部は、ドアパネルと、前記扉本体部における後面を構成するドアパックと、前記ドアパネル及び前記ドアパックによって囲まれた空間に充填された断熱材と、を備え、前記ドアパネルは、前記扉本体部における前面を構成するパネル本体部と、前記パネル本体部に対して後側に折り返されたパネル周端部と、を備え、前記ドアパックの周端部は、前記パネル周端部に対して後側から当接されており、前記ドアパッキンは、中空状をなすと共に、前記ドアパックの前記周端部に対して後側から当接する当接部を備え、前記当接部には、前記当接部の内部空間を仕切る仕切壁部が設けられているものとすることができる。
【００１１】
ドアパネルとドアパックとの間に断熱材を充填する際には、当接部によってドアパックの周端部を押さえ付け、ドアパックの周端部とパネル周端部との間に隙間が生じないようにする。当接部に仕切壁部を設けることで、当接部の剛性をより高くすることができ、断熱材を充填する際に当接部が変形する事態を抑制できる。この結果、ドアパックの周端部とパネル周端部との間に隙間が生じ、断熱材が外部に漏れる事態をより確実に抑制することができる。
【００１２】
また、前記ドアパッキンは、中空状をなすパッキン本体部と、前記パッキン本体部から前側に突出され、前記扉本体部の後面に形成された溝部に嵌合される突部と、前記開口部の前記開口縁部の前面に吸着する磁石が収容され、前記パッキン本体部に対して後側に配される磁石収容部と、前記パッキン本体部と前記磁石収容部とを連結する一対の連結部と、を備え、前記一対の連結部のうち一方の連結部は、前記パッキン本体部及び前記磁石収容部における前記ドアパッキンの幅方向の一端部同士を連結し、前記一対の連結部のうち他方の連結部は、前記パッキン本体部及び前記磁石収容部における前記ドアパッキンの幅方向の他端部同士を連結し、前記連結部は、前記磁石収容部における前端部と、前記パッキン本体部における前端部と、を連結するものとされ、前記磁石収容部における前端部から後方に延びた後、前記パッキン本体部側に折り返す形で延びているものとすることができる。
【００１３】
連結部が磁石収容部における前端部からパッキン本体部側に直接的に向かう形状と比べて、磁石収容部がパッキン本体部から遠ざかる方向（後側）に変位し易くなる。この結果、開口縁部の前面に対して磁石収容部を確実に密着させることができる。
【００１４】
また、前記扉本体部の後面には、前記扉のサイズを識別することが可能な識別部が設けられているものとすることができる。扉のサイズを容易に識別することができ、扉を箱体に組み付ける際に所望のサイズの扉を容易に選択することができる。
【００１５】
また、前記識別部は、前記扉本体部の中心に対して点対称となる形で一対設けられているものとすることができる。扉本体部を上下反転して組み付けた場合において、一対の識別部は、上下反転する前と同じ態様で視認されることになる。これにより、扉本体部の上下方向を意識せずに組み付け作業を行うことができ、作業性を向上させることができる。
【発明の効果】
【００１６】
本発明によれば、断熱性をより高くすることが可能な貯蔵庫を提供することができる。
【図面の簡単な説明】
【００１７】
【図１】本発明の一実施形態に係る冷却貯蔵庫を示す正面図
【図２】図１の冷却貯蔵庫において扉を取り外した状態を示す正面図
【図３】冷却貯蔵庫を示す斜視図（右上の扉を取り外した状態）
【図４】冷却貯蔵庫を示す側断面図
【図５】図３においてコーナーカバー付近を示す拡大図
【図６】図２においてコーナーカバー付近を示す拡大図
【図７】扉を裏側から視た斜視図
【図８】図７において扉の角部を拡大して示す拡大図
【図９】扉及び開口部付近を示す断面図（図１のＩＸ−ＩＸ線で切断した図に対応）
【図１０】図９においてドアパッキン付近を拡大して示す拡大図
【図１１】扉及び開口部付近を示す断面図（図１のＸＩ−ＸＩ線で切断した図に対応）
【図１２】ドレンパイプの下端部付近を示す側断面図
【発明を実施するための形態】
【００１８】
本発明の一実施形態を図１から図１２によって説明する。本実施形態では、図１に示すように、冷却貯蔵庫１０として、４ドア式の縦型冷蔵庫を例示する。なお、図１は、冷却貯蔵庫１０を前側から視た図（正面図）である。冷却貯蔵庫１０は、図１及び図３に示すように、貯蔵室１１及び冷却器室２５（図４参照）を構成する断熱性の箱体１２と、箱体１２の上方に設けられた機械室１４と、を備える。図２に示すように、箱体１２の前面は開口されており、その開口は、十字状をなす仕切枠１５によって仕切られることで、方形状をなす４つの開口部１１Ａとなっている。つまり、貯蔵室１１は、前方に開口された４つの開口部１１Ａを有している。箱体１２は、図４に示すように、ステンレス鋼板等の金属板からなる外箱１２Ａ内に、同じくステンレス鋼板等の金属板からなる内箱１２Ｂが間隔を空けて収容され、この外箱１２Ａと内箱１２Ｂとの間に形成された空間内に、発泡ウレタン等の発泡樹脂からなる断熱材（図示せず）が発泡充填されて形成されたものである。
【００１９】
箱体１２には、図１に示すように、４つの扉１６がそれぞれ上下方向に沿う軸を回動軸として、回動可能に取り付けられており、各開口部１１Ａは各扉１６によってそれぞれ開閉可能な構成となっている。また、箱体１２は底面の四隅に設けられた脚１３によって支持されている。貯蔵室１１内には、図４に示すように、水平方向に沿う形で棚板１７が設けられており、貯蔵室１１内に収容された貯蔵物は棚板１７の上に載置可能となっている。機械室１４には、冷却装置２０が設けられている。冷却装置２０（冷凍ユニット）は、ユニット台２３に載置されている。冷却装置２０は、凝縮器ファン２１Ａを備える凝縮器２１と、圧縮機２２と、を備える。また、図３に示すように、機械室１４内には、電装箱１８が配されており、電装箱１８内には、冷却装置２０を構成する各機器の制御を行う制御部（図示せず）が収容されている。
【００２０】
図４に示すように、箱体１２の上部には、冷却ダクトを兼ねたドレンパン２４が、後側（図４の右側）に向かうにつれて下降傾斜する形で配されている。これにより、ユニット台２３とドレンパン２４との間に冷却器室２５が形成されている。言い換えると、箱体１２の内部空間がドレンパン２４によって仕切られることで、互いに隣り合う貯蔵室１１及び冷却器室２５が形成されている。冷却器室２５においては、冷却器２６が、例えばユニット台２３の下面に取り付けられる形で配されている。冷却器２６は、冷媒が封入された冷媒管（図示せず）によって冷却装置２０と循環接続されており、冷却装置２０が駆動することで冷気を生成する構成となっている。また、ドレンパン２４の前側には、モータで駆動される庫内ファン２７が設けられ、ドレンパン２４の後側には、冷気の吹出部２８が形成されている。また、図４に示すように、機械室１４は、開閉可能なフロントカバー１４Ａによって前方から覆われている。
【００２１】
冷却運転時には、圧縮機２２、庫内ファン２７及び凝縮器ファン２１Ａが駆動される。庫内ファン２７の駆動により、図４の矢印Ｐ１に示すように、貯蔵室１１内の空気が冷却器室２５内に吸引され、その後、冷却器２６を通過する間に熱交換されて生成された冷気が、矢印Ｐ２に示すように吹出部２８から貯蔵室１１内に吹き出される。これにより、貯蔵室１１内に冷気が循環供給される構成となっている。また、冷却器室２５内において庫内ファン２７の上方には、庫内サーミスタ２９（貯蔵室温度センサ）が配されている。庫内サーミスタ２９は、庫内ファン２７によって吸引された貯蔵室１１内の空気の温度（貯蔵室１１内の温度）を検出可能となっている。また、冷却器２６には、例えば、冷却器２６の温度を検出するための除霜サーミスタ１２９が設けられている。冷却器２６の下面には、例えばシーズヒータからなる除霜ヒータ３１が設けられている。除霜ヒータ３１は、冷却器２６に付着した霜を除去するために設けられている。
【００２２】
ドレンパン２４は、冷却器２６の下方に配されており、冷却器２６の除霜によって生じた除霜水を受けることが可能となっている。ドレンパン２４は、後方に向かうにつれて下降傾斜する形で延び、その後端には、ドレンパイプ４３の一端部が配されている。ドレンパイプ４３は、ドレンパン２４で受けられた水を外部に排出するためのもので、図４に示すように、冷却器室２５から後方に延びた後、下方に屈曲されている。また、ドレンパイプ４３の下端部には、図１２に示すように、エルボ４４を介して排水ホース４５が接続されている。排水ホース４５の一端部は、エルボ４４の一端部に接続されている。排水ホース４５の一端部において、エルボ４４の一端部と隣接する箇所は、ケーブルストラップ４６によって、箱体１２（例えば外箱１２Ａの底面）に固定されている。これにより、排水ホース４５に外力が作用した場合において、排水ホース４５とエルボ４４の接続箇所に力が作用する事態を抑制でき、排水ホース４５がエルボ４４から抜ける事態を抑制することができる。
【００２３】
図２に示すように、開口部１１Ａの内面の角部には、これを覆う形で正面視Ｌ字状をなすコーナーカバー３２が設けられている。なお、開口部１１Ａの内面の角部とは、開口部１１Ａの内面のうち、直交する２つの平面によって構成される角部である。なお、コーナーカバー３２は単にコーナーと呼ばれることがある。本実施形態では、仕切枠１５は、上下方向に延びる縦枠３３と、水平方向に延びる横枠３４とが直交することで構成されている。図５に示すように、縦枠３３には、化粧枠３３Ａが取り付けられ、横枠３４には、化粧枠３４Ａが取り付けられている。化粧枠３３Ａと化粧枠３４Ａとは、その端部同士が隣接する形で配されており、開口部１１Ａの内面のうち直交する２つの平面を構成するものである。縦枠３３及び横枠３４の接続部分に設けられるコーナーカバー３２は、化粧枠３３Ａの端部と化粧枠３４Ａの端部の間の隙間を覆う構成となっている。
【００２４】
次に、扉１６の構成について説明する。４つの扉１６は、ハンドル１６Ａの取付箇所が異なること以外は、基本的には同じ構成となっている。なお、図１の左右方向に並ぶ一対の扉１６，１６は、左右対称な構成となっている。つまり、右側の扉１６を上下反転させて箱体１２に取り付けることで、左側の扉１６とすることができる。なお、各扉１６は、ヒンジ部材１６Ｂを介して箱体１２に取り付けられている。以下の説明では、４つの扉１６のうち、図１の右上側に配された扉１６を例示して説明する。
【００２５】
扉１６は、図７及び図９に示すように、方形状をなす扉本体部５０と、扉本体部５０の後面に設けられ、箱体１２における開口部１１Ａの開口縁部の前面に当接するドアパッキン７０と、を備える。扉本体部５０は、ドアパネル５１と、ドアパック６１と、ドアパネル５１及びドアパック６１によって囲まれた空間Ｓ１に充填された断熱材５４（図１０参照）と、を備える。ドアパネル５１は、例えば金属製（ステンレス鋼板等）とされ、図９に示すように、扉本体部５０における前面を構成するパネル本体部５２と、パネル本体部５２に対して後側に折り返されたパネル周端部５３と、を備える。なお、図９及び図１１では断熱材５４を図示省略している。
【００２６】
ドアパック６１は、扉本体部５０における後面（貯蔵室１１側の面）を構成するもので、例えば合成樹脂製（ＡＢＳ樹脂等）とされる。ドアパック６１の周端部６１Ａは、図１０に示すように、パネル周端部５３に対して後側から当接されている。図７に示すように、ドアパック６１の表面（扉本体部５０の後面）には、扉１６のサイズを識別することが可能な識別部６２（図７の数字１２０）が記載されている。識別部６２（識別記号）は、ドアパック６１（ひいては扉本体部５０）の中心Ｃ１に対して点対称となる形で一対設けられている。また、識別部６２に隣接する形でドアパック６１の材質（図７のＡＢＳ）が記載されている。なお、図７で示す識別部６２の数字１２０とは、扉１６が、横幅１２００ｍｍの冷却貯蔵庫１０に用いられるサイズの扉であることを示す数字であるが、識別部６２の表記はこの数字に限定されず適宜変更可能である。また、識別部６２は、数字に限定されず、扉１６のサイズを理解することが可能な表記であればよい。
【００２７】
図７に示すように、扉本体部５０の後面には、ドアパック６１の一部を後側に膨出させることで構成されたリブ６３が設けられている。リブ６３は、扉本体部５０の外周端部に沿って延びる方形枠状をなし、ドアパッキン７０の延設方向に沿う形でドアパッキン７０の内側に配されている。リブ６３は、具体的には、上下方向に沿って延びる一対の縦方向延設部６４，６４と、水平方向に沿って延びる一対の横方向延設部６５，６５と、を備える。図１１に示すように、縦方向延設部６４は、貯蔵室１１に向かうにつれて幅が狭くなる形状をなしており、図９に示すように、横方向延設部６５は、貯蔵室１１に向かうにつれて幅が狭くなる形状をなしている。
【００２８】
開口部１１Ａの内面は、図１１に示すように、縦方向延設部６４の延設方向に沿って延びる第１内面１９Ａを有している。縦方向延設部６４は、第１内面１９Ａと対向配置される第１対向面６４Ａを有している。また、開口部１１Ａの内面は、図９に示すように、横方向延設部６５の延設方向に沿って延びる第２内面１９Ｂを有している。横方向延設部６５は、第２内面１９Ｂと対向配置される第２対向面６５Ａを有している。第１内面１９Ａ及び第２内面１９Ｂは、直交する２つの平面である。そして、第２対向面６５Ａの第２内面１９Ｂに対する傾斜角度Ｄ２は、第１対向面６４Ａの第１内面１９Ａに対する傾斜角度Ｄ１よりも小さい値で設定されている。
【００２９】
図８に示すように、リブ６３において、コーナーカバー３２に対応する箇所には、切欠部６６が形成されている。切欠部６６は、方形枠状をなすリブ６３の角部（縦方向延設部６４と横方向延設部６５の接続部）に形成されており、リブ６３の角部の形状に倣うＬ字状をなしている。切欠部６６には、図６に示すように、コーナーカバー３２が嵌合されている。なお、図６では、リブ６３の外形線（第１対向面６４Ａ及び第２対向面６５Ａ）を実線で示している。
【００３０】
ドアパッキン７０は、図７の２点鎖線で示すように、方形枠状をなし、リブ６３の外側に配されている。ドアパッキン７０は、図１０に示すように、中空状をなすパッキン本体部７１と、パッキン本体部７１から前側（図１０の左側）に突出され、ドアパック６１の表面（扉本体部５０の後面）に形成された溝部６７に嵌合される突部７２と、開口部１１Ａの開口縁部の前面１１Ｂに吸着する磁石７３が収容され、パッキン本体部７１に対して後側に配される磁石収容部７４と、パッキン本体部７１と磁石収容部７４とを連結する一対の連結部７５，７６と、を備える。突部７２は、断面視矢尻状をなし、溝部６７の内面に係止する構成となっている。
【００３１】
パッキン本体部７１の一部は、中空状をなすと共に、ドアパック６１の周端部６１Ａに対して後側から当接する当接部７７とされる。当接部７７は、断面視方形枠状をなし、当接部７７には、当接部７７の内部空間を仕切る仕切壁部７８が設けられている。仕切壁部７８は、当接部７７を構成する壁部のうち、前後方向に対向配置された一対の壁部を連結する構成となっている。パッキン本体部７１は、３つの内部空間を有する断面視長方形状をなしており、当接部７７は、そのうちの２つの内部空間を構成するものとされる。
【００３２】
扉本体部５０を製造する際には、図示しない発泡冶具によって、ドアパネル５１及びドアパック６１を保持し、ドアパネル５１及びドアパック６１によって囲まれた空間Ｓ１に液状の断熱材５４を注入し、これが発泡して固化することにより、断熱材５４が充填された状態となる。断熱材５４を充填する際には、発泡冶具によってドアパッキン７０をドアパック６１側に押圧し、当接部７７をドアパック６１の周端部６１Ａに押し当てた状態にする。これにより、周端部６１Ａとパネル周端部５３の間に隙間が生じ、その隙間から断熱材５４が漏れる事態を防止することができる。
【００３３】
連結部７５（一方の連結部）は、パッキン本体部７１及び磁石収容部７４におけるドアパッキン７０の幅方向（図９、図１０では上下方向）の一端部同士を連結するものとされる。また、連結部７６（他方の連結部）は、パッキン本体部７１及び磁石収容部７４におけるドアパッキン７０の幅方向の他端部同士を連結するものとされる。連結部７５は、磁石収容部７４における前端部と、パッキン本体部７１における前端部と、を連結するものとされ、磁石収容部７４における前端部から後方（図９、図１０の右側）に延びた後、パッキン本体部７１側に折り返す形で延びている。連結部７６は、磁石収容部７４における前端部と、パッキン本体部７１における前端部と、を連結する断面視略湾曲形状をなしており、磁石収容部７４における前端部から後方に延びた後、パッキン本体部７１側に折り返す形で延びている。
【００３４】
一対の連結部７５，７６は屈曲性を有しており、磁石収容部７４はパッキン本体部７１に対して前後方向に変位可能となっている。この結果、開口部１１Ａの前面１１Ｂ（金属製の外箱１２Ａの表面）に対して、磁石７３が吸着されることで、図１０に示すように、開口部１１Ａの前面１１Ｂと磁石収容部７４とが密着することが可能となっている。なお、図９では、自然状態のパッキン本体部７１及び磁石収容部７４を図示しており、自然状態では、磁石収容部７４が開口部１１Ａの前面に対して離間している。また、図１０では、自然状態の磁石収容部７４を２点鎖線で図示している。磁石収容部７４をパッキン本体部７１に対して前後方向に変位可能とすることで、製造誤差などに起因して前面１１Ｂの位置が所定の位置よりもずれてしまった場合であっても、前面１１Ｂに対して磁石収容部７４を確実に密着させることができる。また、磁石収容部７４の後端部と、パッキン本体部７１の前端部とは、連結部７６を覆う形で設けられた連結部７９によって連結されており、この連結部７９には、リブ６３の側面に当接するヒレ部７９Ａが設けられている。
【００３５】
次に、本実施形態の効果について説明する。本実施形態では、リブ６３が切欠部６６を備えることで、コーナーカバー３２とリブ６３が干渉する事態を防止することができる。この結果、リブ６３を開口部１１Ａの内面（第１内面１９Ａ又は第２内面１９Ｂ）により近づけて配置することができ、リブ６３と開口部１１Ａの内面との間の隙間をより小さくすることができるから、貯蔵室１１の断熱性をより高くすることができる。なお、切欠部６６を有していない場合には、図６の２点鎖線で示すように、リブ６３の外面６３Ａをコーナーカバー３２の表面３２Ａよりも扉１６の内側に配する必要があり、外面６３Ａと開口部１１Ａの内面の間に隙間Ｓ２が生じる。本実施形態では、このような隙間Ｓ２をより小さくすることができる。
【００３６】
開口部１１Ａの内面は、縦方向延設部６４の延設方向に沿って延びる第１内面１９Ａと、横方向延設部６５の延設方向に沿って延びる第２内面１９Ｂと、を有しており、横方向延設部６５の第２対向面６５Ａの第２内面１９Ｂに対する傾斜角度Ｄ２は、縦方向延設部６４の第１対向面６４Ａの第１内面１９Ａに対する傾斜角度Ｄ１よりも小さい値で設定されている。第２対向面６５Ａと第２内面１９Ｂとを平行により近づけることで、第２対向面６５Ａと第２内面１９Ｂとの間の隙間をより小さくすることができ、貯蔵室１１の断熱性をより高くすることができる。また、扉１６の回動軸は上下方向に沿う構成であるから、扉１６を閉める際には、上下方向に延びる第１内面１９Ａに対して、縦方向延設部６４の第１対向面６４Ａが接近することになる。ここで、第１対向面６４Ａの第１内面１９Ａに対する傾斜角度Ｄ１は、比較的大きい値で設定されている。このため、扉１６を閉める際に、第１内面１９Ａに対して、第１対向面６４Ａが当接する事態をより確実に抑制することができる。
【００３７】
また、ドアパッキン７０は、中空状をなすと共に、ドアパック６１の周端部６１Ａに対して後側から当接する当接部７７を備え、当接部７７には、当接部７７の内部空間を仕切る仕切壁部７８が設けられている。ドアパネル５１とドアパック６１との間に断熱材５４を充填する際には、当接部７７によってドアパック６１の周端部６１Ａを押さえ付け、ドアパック６１の周端部６１Ａとドアパネル５１のパネル周端部５３との間に隙間が生じないようにする。当接部７７に仕切壁部７８を設けることで、当接部７７の剛性をより高くすることができ、断熱材５４を充填する際に当接部７７が変形する事態を抑制できる。この結果、ドアパック６１の周端部６１Ａとパネル周端部５３との間に隙間が生じ、断熱材５４が外部に漏れる事態をより確実に抑制することができる。
【００３８】
また、ドアパッキン７０は、パッキン本体部７１と磁石収容部７４とを連結する一対の連結部７５，７６と、を備え、一対の連結部７５，７６は、パッキン本体部７１及び磁石収容部７４におけるドアパッキン７０の幅方向の両端部をそれぞれ連結するものとされ、連結部７５は、磁石収容部７４における前端部と、パッキン本体部７１における前端部と、を連結する湾曲形状をなしており、磁石収容部７４における前端部から後方に延びた後、パッキン本体部７１側に折り返す形で延びている。連結部７５，７６が磁石収容部７４における前端部からパッキン本体部７１側に直接的に向かう形状と比べて、磁石収容部７４がパッキン本体部７１から遠ざかる方向（後側）に変位し易くなる。この結果、開口１１Ａの開口縁部の前面１１Ｂに対して磁石収容部７４を確実に密着させることができる。
【００３９】
また、連結部７６は、図９に示す自然状態において円弧状をなす円弧部分７６Ａを有している。連結部７６は、磁石収容部７４における前端部と、パッキン本体部７１における前端部を連結する構成となっている。このため、連結部７６を磁石収容部７４における前端部と、パッキン本体部７１における後端部とを連結する構成と比べて、円弧部分７６Ａの曲率半径を大きくすることができる。この結果、連結部７６をより撓み変形させ易くすることで、磁石収容部７４をより容易に変位させることができる。
【００４０】
また、扉本体部５０の後面には、扉１６のサイズを識別することが可能な識別部６２が設けられている。扉１６のサイズを容易に識別することができ、扉１６を箱体１２に組み付ける際に所望のサイズの扉１６を容易に選択することができる。また、識別部６２は、扉本体部５０の中心に対して点対称となる形で一対設けられている。扉本体部５０を上下反転して組み付けた場合において、一対の識別部６２，６２は、上下反転する前と同じ態様で視認されることになる。これにより、扉本体部５０の上下方向を意識せずに組み付け作業を行うことができ、作業性を向上させることができる。
【００４１】
＜他の実施形態＞
本発明は上記記述及び図面によって説明した実施形態に限定されるものではなく、例えば次のような実施形態も本発明の技術的範囲に含まれる。
（１）上記実施形態では、貯蔵庫として、冷却貯蔵庫を例示したが、これに限定されない。貯蔵庫としては、例えば、冷凍用や保温用の貯蔵庫を例示することができる。また、貯蔵庫としてショーケースを例示することができる。
（２）上記実施形態では、４つの開口部１１Ａを有する箱体を例示したが、これに限定されない。開口部の数は適宜変更可能である。
（３）上記実施形態では、コーナーカバー３２が直交する第１内面１９Ａ及び第２内面１９Ｂの角部を覆う構成を例示したが、これに限定されない。第１内面１９Ａ及び第２内面１９Ｂは交差していればよく、第１内面１９Ａと第２内面１９Ｂのなす角度は適宜変更可能である。
【符号の説明】
【００４２】
１０…冷却貯蔵庫（貯蔵庫）、１１…貯蔵室、１１Ａ…開口部、１２…箱体、１６…扉、１９Ａ…第１内面、１９Ｂ…第２内面、３２…コーナーカバー、５０…扉本体部、５１…ドアパネル、５２…パネル本体部、５３…パネル周端部、５４…断熱材、６１…ドアパック、６１Ａ…ドアパックの周端部、６２…識別部、６３…リブ、６４…縦方向延設部、６４Ａ…第１対向面、６５…横方向延設部、６５Ａ…第２対向面、６６…切欠部、６７…扉本体部の後面に形成された溝部、７０…ドアパッキン、７１…パッキン本体部、７２…突部、７３…磁石、７４…磁石収容部、７５，７６…連結部、７７…当接部、７８…仕切壁部、Ｃ１…扉本体部の中心、Ｄ１…第１対向面の第１内面に対する傾斜角度、Ｄ２…第２対向面の第２内面に対する傾斜角度
【図１】
2018204930.tif 000003
【図２】
2018204930.tif 000004
【図３】
2018204930.tif 000005
【図４】
2018204930.tif 000006
【図５】
2018204930.tif 000007
【図６】
2018204930.tif 000008
【図７】
2018204930.tif 000009
【図８】
2018204930.tif 000010
【図９】
2018204930.tif 000011
【図１０】
2018204930.tif 000012
【図１１】
2018204930.tif 000013
【図１２】
2018204930.tif 000014